(57)【要約】【課題】開けやすく設計された電磁妨害防止のシールド構造を実現することを目的とする。【解決手段】電子素子の外部を覆うシールドの上面には、間隔のあいた２つの容易断線１１４があり、マスクの両端の曲がったところに２つの長状の切欠１１９と２つの凹み１２０がある。２つの容易断線と２つの長状の切欠の間には上向きに開くカバー１１６がある。修理の際には、カバーを取り除き、さらに上蓋５によって元に戻すとき、上蓋とマスクの上面は同じ高さで、上蓋の厚み分だけ飛び出ることはない。このため、現代の通信製品の、軽く薄いといった需要にマッチしている。【選択図】図２
0003120592.tif 000002
【実用新案登録請求の範囲】
【請求項１】
マスクを有するシールドであって、
前記マスク上面には２個の間隔のあいた容易断線があり、前記マスクの両側の湾曲箇所には２個の長状の切欠と２個の凹みがあり、前記２個の長状の切欠のそれぞれが前記容易断線の両端に接続し、前記２個の容易断線と前記長状の切欠の間に上向きに開くカバーがあり、前記カバーの上面と前記シールドの上面は同じ高さであることを特徴とする電磁干渉防止用のシールド構造。
【請求項２】
請求項１に記載する電磁干渉防止用のシールド構造において、
前記シールドが金属製であることを特徴とする電磁干渉防止用のシールド構造。
【請求項３】
請求項１に記載する電磁干渉防止用のシールド構造において、
前記シールドが、蓋体と前記蓋体の周囲の縁から下向きに曲がって延びた側板を含み、前記蓋体及びサイド板の間に収納空間があり、前記２個の容易断線部は平行に前記シールドの上面にあり、前記２個の凹みは前記２個の側板の上端にあり、前記２個の長状の切欠に隣接することを特徴とする電磁干渉防止用のシールド構造。
【請求項４】
請求項１に記載する電磁干渉防止用のシールド構造において、
前記カバーには少なくとも一つの開放孔があることを特徴とする電磁干渉防止用のシールド構造。
【請求項５】
請求項１に記載する電磁干渉防止用のシールド構造において、
前記カバーを取り除くことによって前記シールドの上面に開放口が形成され、
この状態の前記シールドに上蓋が取り付けられ、
前記上蓋は、上蓋体と該上蓋体の２つの側辺から下向きに折れ曲がって延びるサイド板を有し、前記シールドに取り付けられて、前記上蓋体が前記開放口を覆い、同時に、前記上蓋の２つの側蓋が前記シルードの２つのサイド板の外壁を覆う構成としたことを特徴とする電磁干渉防止用のシールド構造。
【請求項６】
請求項５に記載する電磁干渉防止用のシールド構造において、
前記シールドは、２つのサイド板の外壁に位置決め孔を複数有し、
前記上蓋は、２つの側蓋の内壁に位置決め点を複数有し、
前記位置決め点が前記位置決め孔と対応していることを特徴とする電磁干渉防止用のシールド構造。
【請求項７】
請求項５に記載する電磁干渉防止用のシールド構造において、
前記上蓋は、金属部材よりなることを特徴とする電磁干渉防止用のシールド構造。
【考案の詳細な説明】
【技術分野】
【０００１】
本考案は電磁妨害防止用のシールド構造に係り、特に開けやすく設計されたシールドであり、前記シールドは電子素子の外側を覆っており、電磁波防止効果がある電磁妨害防止用のシールド構造に関する。
【背景技術】
【０００２】
図１は、電磁波の妨害（ＥＭＩ）を防止し、ＩＣチップ、中央処理器などに影響を与え、電子素子を作動することのないようにするものである、従来の電磁妨害防止用のシールド７を示す。このシールド７は、マスク７１を有し、前記マスク７１の内部には収納空間があり、電子素子８を収納する。前記マスク７１の上面の４辺の縁の近くには容易断線７２があり、前記マスク７１は上向きに開く蓋板７３がある。前記シールド７は回路基板９上の電子素子８の外部を覆って取り付けられているので、前記シールド７は電磁波防止効果をもつ。
【０００３】
電子素子は修理が必要な際、鋭器（ドライバーなど）を、あらかじめ開けられた孔（図は省略）に差し込んで、蓋板７３を容易断線７２に沿って上向きに開けて容易断線７２を切断することで、マスク７１の上端に面積の広い開放口ができるので、修理しやすくなる。修理後、もう一つの上蓋（図は省略）を使ってシールド７の上面を覆い、シールド７を再び防止状態に戻す。
【０００４】
上述のシールドは、電磁波の妨害を防止し、電子素子に影響を与えないようにするのに有効である。また製造コストも比較的低く、大幅に必要コストを下げられるので、既存の技術には有用な効能がある。
【考案の開示】
【考案が解決しようとする課題】
【０００５】
しかし、この設計は完全とは言えず、改善の余地がある。というのは、シールド７は開けやすい設計で、蓋板７３はマスク７１の上端とはほぼ同じ高さであり、マスク７１の上端には段差があるが、（高さの差はおよそ０．１５ｍｍ）たとえば、使用上、部品に対して空間には限度があり、もともとの設計では開けやすい蓋板７３を取り除いた後、さらにもう一つの上蓋（図は省略）を使って元の遮断状態に戻す際、マスク７１上は上蓋の厚み分、更に高くなる。現代のあらゆる通信製品は軽く薄いものが求められており、既存の設計では需要に合わない。
【０００６】
そこで、本考案者は上記の問題を改善するために、深く研究し、学理の運用に合わせて、ついに合理的で有効に上記の問題を改善した本考案を設計した。
【０００７】
本考案の主な目的は、開けやすいタイプのシールドの上部には段差がなく平面で、場所を取らない。さらに上蓋が戻った後も同じ高さとなるので、上蓋の厚みが余分とならず、現代の通信製品の軽く薄くという需要にマッチし、応用範囲も広い、電磁干渉防止用のシールド構造を提供することにある。
【課題を解決するための手段】
【０００８】
本考案は、マスクを有するシールドであって、
前記マスク上端には２個の間隔のあいた容易断線があり、前記マスクの両側の湾曲箇所には２個の長状の切欠と２個の凹みがあり、前記２個の長状の切欠のそれぞれが前記容易断線の両端に接続し、前記２個の容易断線と前記長状の切欠の間に上向きに開くカバーがあり、前記カバーの上端と前記シールドの上端は同じ高さであることを特徴とする。
【考案の効果】
【０００９】
カバーの上端とシールドの上端は同じ高さであるため、厚さが増えない構造を実現することが出来る。
【考案を実施するための最良の形態】
【００１０】
以下、本考案の実施例を図を参照して説明する。しかしながら、図は全て、参考と説明のためのものであり、本考案に制限を加えるものではない。
【実施例】
【００１１】
図２，図３を参照する。本考案は電磁妨害防止用のシールド構造であり、特に開けやすいタイプのシールドで、シールド１は金属製である。電子素子の外部をマスク１１が覆い、マスク１１は四角形もしくは別の形をしており、中は空洞である。そのマスクの形は限定されるものではなく、電子素子の形によって自由に変化する。
【００１２】
マスク１１は金属に代わるもの、もしくは金属製である。上端板１１１、上端板１１１の四隅から下向きに延びたサイド板１１２を有する。上端板１１１とサイド板１１２の間には収納空間１１３がある。収納空間１１３はマスク１１の内部にあり、電子素子を収納することができる。マスク１１が電子素子の外部を覆っている。
【００１３】
マスク１１の上端には２列になった容易断線１１４がある。２つの容易断線１１４は取り除くことも引っ張ることもでき、切断することもできる。２つの容易断線１１４はマスク１１の上端板１１１上に平行に並んでいる。２つの容易断線１１４の間の距離は一定ではなく、必要に応じて変えることができる。
【００１４】
マスク１１の両辺の曲がって延びたサイド板１１２には２つの長状の切欠１１５が形成してある。２つの長状の切欠１１５は、上端板１１１の上面から下面まで貫いている。２つの長状の切欠１１５の両端は２つの容易断線１１４の両端につながっている。このように、２つの容易断線１１４と長状の切欠１１５を用いて、開きやすくし、２つの容易断線１１４と２つの長状の切欠１１５の間に、マスク１１の上端部に上向きに開くカバー１１６がある。カバー１１６の上面にはマスク１１の上端板１１１の上面と同じ高さで、シールド１の上面には段差がなく平面である。
【００１５】
マスク１１の両側面の曲がったところのサイド板１１２には２つの凹み１１９があり、２つの凹み１１９は２つの長状の切欠１１５と隣り合ってつながっている。２つの凹み１１９は２つのサイド板１１２の上端にあり、深さは上蓋５（図５，図６参照）の厚みと同じか、或いは大きい。
【００１６】
マスク１１の両端（サイド板１１２）の外壁には位置決め孔１２０が複数あり、上蓋５の位置を決める。マスク１１のカバー１１６上には開放孔１１７が複数あり、これらの開放孔１１７は放熱作用があり、それによって、マスク１１内部に収納する電子素子の放熱を行う。また、鋭器を開放孔１１７に上向きに差し込み、マスク１１の上端を上向きに開く四角形のカバー１１６とする。上述の組み合わせによって、本考案の電磁妨害防止用のシールド構造となる。
【００１７】
本考案のシールド１は回路基板上の電子素子の外部を覆っており、シールド１は回路基板上に適切に溶接固定されている。このためシールド１は電磁防止効果があり、電子波妨害を防止することで、電子素子に影響を与えない。
【００１８】
図４は電子素子を修理するときの状態を示す。電子素子に修理が必要な際は、鋭器（例えばドライバー）を開放孔１１７に上向きに差し込み、カバー１１６を容易断線１１４に沿って上向きに開けて、容易断線１１４を切断し、マスク１１の上面に開放口１１８ができ、修理がしやすくなる。
【００１９】
図５及び図６は電子素子を修理した後の状態を示す。
【００２０】
修理後にはシールド１の上面部に更に上蓋５がもとのように戻る。上蓋５は金属メッキか金属製であり、「ロ」の形の板体であり、上蓋体５１と、この上蓋体５１の両端に下向きに延びた側蓋５２がある。上蓋５の幅と開放口１１８の幅は同じであり、上蓋５はシールド１の上面部の開放口１１８を覆っている。上蓋５は上蓋体５１で開放口１１８を覆い、上蓋５の２つの側蓋５２でもって、マスク１１に対応する両側（サイド板１１２）の外壁を覆う。上蓋５の２つの側蓋５２の内壁には位置決め点５３が複数あり、位置決め点５３は位置決め孔１２０に対応しており、上蓋５はしっかりとマスク１１上に固定しており、開放口１１８を覆い、シールド７を覆い隠し状態に戻す。
【００２１】
本考案の主要な点は、マスク１１上に２つの容易断線１１４、２つの長状の切欠１１５、および２つの凹み１１９があり、シールド１の上面には段差がなく平面である。修理の際にはカバー１１６を取り除き、マスク１１の両側面の曲がったところと上面の間に段差ができ、この段差は上蓋５の厚みと同じである。このように、上蓋５が取り付けられた後に、上蓋５の上面とマスク１１の上面とは同じ高さとなり、上蓋５の厚みが上方に突き出ることはない。
【００２２】
以上が本考案の最良の実施例であるが、これは本考案の実用新案登録請求の範囲を制限するものではなく、本考案の説明と図の内容と同じ効果の構造変化は、同様に本考案の範囲内に含まる。
【図面の簡単な説明】
【００２３】
【図１】従来のシールドの使用状態の立体図である。
【図２】本考案のシールドの立体図である。
【図３】本考案のシールドの別の角度からの立体図である。
【図４】本考案のシールドのカバーを取り除いた後の立体図である。
【図５】本考案のシールドのカバーを取り除いた部分に上蓋が取り付けられた後の立体図である。
【図６】図５の状態のシールドの側面図である。
【符号の説明】
【００２４】
１  シールド
１１  マスク
１１１  上端板
１１２  サイド板
１１３  収納空間
１１４  容易断線
１１５  長状の切欠
１１６  カバー
１１７  開放孔
１１８  開放口
１１９  凹み
１２０  位置決め孔
５  上蓋
５１  上蓋体
５２  側蓋
５３  位置決め点
【図１】
0003120592.tif 000003
【図２】
0003120592.tif 000004
【図３】
0003120592.tif 000005
【図４】
0003120592.tif 000006
【図５】
0003120592.tif 000007
【図６】
0003120592.tif 000008